(57)【要約】    【課題】  パネルによりシャッタカーテンが構成されているシャッタ装置に於いて、簡単な構造で大型としても充分な剛性、強度を有するパネルを具備したシャッタ装置を提供する。    【解決手段】  複数のパネルが屈曲自在に連結されてシャッタカーテンの少なくとも一部を形成するシャッタ装置に於いて、パネル体２６の上下に上枠２７、下枠２８が設けられ、該上枠と下枠は屈曲自在に連結可能であり、前記パネル体の幅端に前記上枠、前記パネル体、前記下枠に掛渡って側枠２９が取付けられ、該側枠の上部が前記上枠に係合し、下部が前記下枠に係合する様に構成した。    【選択図】          図２
2005226290.tif 000002
【特許請求の範囲】
【請求項１】
複数のパネルが屈曲自在に連結されてシャッタカーテンの少なくとも一部を形成するシャッタ装置に於いて、パネル体の上下に上枠、下枠が設けられ、該上枠と下枠は屈曲自在に連結可能であり、前記パネル体の幅端に前記上枠、前記パネル体、前記下枠に掛渡って側枠が取付けられ、該側枠の上部が前記上枠に係合し、下部が前記下枠に係合する様に構成したことを特徴とするシャッタ装置。
【請求項２】
前記上枠は下方に開放された凹部を有し、該凹部に面して幅方向に延びる上連結溝を有し、前記下枠は上方に開放された凹部を有し、該凹部に面して幅方向に延びる下連結溝を有し、前記パネル体は上端部に上フランジ部、下端部に下フランジ部を有し、前記上フランジ部が前記上連結溝に嵌合し、前記下フランジ部が前記下連結溝に嵌合する請求項１のシャッタ装置。
【請求項３】
前記上枠は下方に開放された凹部を有し、前記下枠は上方に開放された凹部を有し、前記上枠は前記パネル体に上方から嵌合し、前記下枠は前記パネル体に下方から嵌合する請求項１のシャッタ装置。
【請求項４】
前記パネル体は上辺部材と、下辺部材と、上辺部材と下辺部材間に掛渡された表裏の面板とから構成される中空体である請求項１のシャッタ装置。
【請求項５】
前記側枠は前記上枠、前記下枠と係合すると共にパネル体の幅端部に内嵌してパネル体に取付けられる請求項１のシャッタ装置。
【請求項６】
前記パネル体の少なくとも面板は透明又は透光性を有する材質である請求項４のシャッタ装置。
【発明の詳細な説明】
【技術分野】
【０００１】
本発明は、建屋等の構築構造物の出入口等開口部に設けられるシャッタ装置に関するものである。
【背景技術】
【０００２】
出入口の開口部を開閉するシャッタ装置の１つとしてオーバヘッドドアがある。該オーバヘッドドアは複数のパネルを屈曲可能に連結したシャッタカーテンを具備し、該シャッタカーテンをガイドレールに沿って昇降させる構成となっている。
【０００３】
図５〜図７によって、オーバヘッドドアの概略を説明する。
【０００４】
建屋等の開口部の両側柱に沿って、垂直ガイドレール１が設けられ、天井に沿って水平ガイドレール２が設けられ、前記垂直ガイドレール１と前記水平ガイドレール２とは湾曲レール３によって連結されている。前記垂直ガイドレール１の上方には水平な巻取シャフト４を具備する開閉装置５が設けられている。
【０００５】
開口部を開閉するシャッタカーテン６は所要数のパネル７が屈曲自在に連結されて構成され、各パネル７の幅端部にはガイドローラ１０が所要間隔で設けられている。該ガイドローラ１０が前記垂直ガイドレール１、前記湾曲レール３、前記水平ガイドレール２に転動自在に嵌合し、前記シャッタカーテン６が前記垂直ガイドレール１、前記湾曲レール３、前記水平ガイドレール２に沿ってスライド可能となっている。前記巻取シャフト４は回転自在に設けられ、該巻取シャフト４の両端部にはドラム８が設けられ、該ドラム８に巻付けられたワイヤ９が前記シャッタカーテン６の下端部に係着されている。又、前記巻取シャフト４にはバランススプリング１１が設けられ、該バランススプリング１１は前記ワイヤ９を介して前記シャッタカーテン６を上昇方向に付勢している。前記巻取シャフト４は図示しない開閉モータ等の駆動装置が連結され、該駆動装置により回転される。
【０００６】
開口部が開かれる場合は、前記駆動装置により前記巻取シャフト４を介し前記ドラム８が回転されることで前記ワイヤ９が巻取られ、前記シャッタカーテン６が前記垂直ガイドレール１に沿って引上げられ、更に前記水平ガイドレール２に格納される様になっている。
【０００７】
又、開口部が閉じられる場合は、前記開閉装置５により前記巻取シャフト４を介して前記ドラム８が逆方向に回転され、前記ワイヤ９が繰出されて前記シャッタカーテン６が降下され、開口部が閉じられる。
【０００８】
上記したオーバヘッドドアに用いられるパネル７の一例として、特許文献１に示されるものがある。
【０００９】
特許文献１で示されるパネルは、面板の上下に連結用框材が嵌合された構造を有し、該上下の連結用框材は屈曲自在に連結可能であり、上下のパネルは連結框を介して屈曲自在に連結されている。
【００１０】
上記した従来のパネルでは、１枚の面板が強度部材となっており、大型のシャッタ装置に適用すると、パネルの剛性、強度が充分でない場合が生ずる。
【００１１】
【特許文献１】実用新案登録第２６０１６９６号公報
【発明の開示】
【発明が解決しようとする課題】
【００１２】
本発明は斯かる実情に鑑み、パネルによりシャッタカーテンが構成されているシャッタ装置に於いて、簡単な構造で大型としても充分な剛性、強度を有するパネルを具備したシャッタ装置を提供するものである。
【課題を解決するための手段】
【００１３】
本発明は、複数のパネルが屈曲自在に連結されてシャッタカーテンの少なくとも一部を形成するシャッタ装置に於いて、パネル体の上下に上枠、下枠が設けられ、該上枠と下枠は屈曲自在に連結可能であり、前記パネル体の幅端に前記上枠、前記パネル体、前記下枠に掛渡って側枠が取付けられ、該側枠の上部が前記上枠に係合し、下部が前記下枠に係合する様に構成したシャッタ装置に係り、又前記上枠は下方に開放された凹部を有し、該凹部に面して幅方向に延びる上連結溝を有し、前記下枠は上方に開放された凹部を有し、該凹部に面して幅方向に延びる下連結溝を有し、前記パネル体は上端部に上フランジ部、下端部に下フランジ部を有し、前記上フランジ部が前記上連結溝に嵌合し、前記下フランジ部が前記下連結溝に嵌合するシャッタ装置に係り、又前記上枠は下方に開放された凹部を有し、前記下枠は上方に開放された凹部を有し、前記上枠は前記パネル体に上方から嵌合し、前記下枠は前記パネル体に下方から嵌合するシャッタ装置に係り、又前記パネル体は上辺部材と、下辺部材と、上辺部材と下辺部材間に掛渡された表裏の面板とから構成される中空体であるシャッタ装置に係り、又前記側枠は前記上枠、前記下枠と係合すると共にパネル体の幅端部に内嵌してパネル体に取付けられるシャッタ装置に係り、更に又前記パネル体の少なくとも面板は透明又は透光性を有する材質であるシャッタ装置に係るものである。
【発明の効果】
【００１４】
本発明によれば、複数のパネルが屈曲自在に連結されてシャッタカーテンの少なくとも一部を形成するシャッタ装置に於いて、パネル体の上下に上枠、下枠が設けられ、該上枠と下枠は屈曲自在に連結可能であり、前記パネル体の幅端に前記上枠、前記パネル体、前記下枠に掛渡って側枠が取付けられ、該側枠の上部が前記上枠に係合し、下部が前記下枠に係合する様に構成したので、前記パネル体の寸法変更や多様な寸法要求ニーズ等が有った場合も容易に対応が可能となる。
【００１５】
又本発明は、前記上枠は下方に開放された凹部を有し、該凹部に面して幅方向に延びる上連結溝を有し、前記下枠は上方に開放された凹部を有し、該凹部に面して幅方向に延びる下連結溝を有し、前記パネル体は上端部に上フランジ部、下端部に下フランジ部を有し、前記上フランジ部が前記上連結溝に嵌合し、前記下フランジ部が前記下連結溝に嵌合するので、前記上枠、前記下枠と前記パネル体間の結合が強固となる。
【００１６】
又本発明は、前記上枠は下方に開放された凹部を有し、前記下枠は上方に開放された凹部を有し、前記上枠は前記パネル体に上方から嵌合し、前記下枠は前記パネル体に下方から嵌合するので、前記上枠、前記下枠と前記パネル体との組立作業性が向上する。
【００１７】
又本発明は、前記パネル体は上辺部材と、下辺部材と、上辺部材と下辺部材間に掛渡された表裏の面板とから構成される中空体であるので、軽量で高剛性、高強度を有する。
【００１８】
又本発明は、前記側枠は前記上枠、前記下枠と係合すると共にパネル体の幅端部に内嵌してパネル体に取付けられるので、側枠が前記上枠、前記下枠、前記パネル体を一体化すると共にパネル体の強度部材となり、構成が簡略化される。
【００１９】
又本発明は、前記パネル体の少なくとも面板は透明又は透光性を有する材質であるので、パネル体の略全面から採光が可能である等の優れた効果を発揮する。
【発明を実施するための最良の形態】
【００２０】
以下、図面を参照しつつ本発明を実施する為の最良の形態を説明する。
【００２１】
先ず、図１に於いて、本実施の形態に係るオーバヘッドドアの概略について説明する。又、図１中、図５〜図７中で示したものと同等のものには同符号を付して、その説明を省略する。
【００２２】
水平ガイドレール２と平行にトロリレール２０が配設され、該トロリレール２０は図示しない建屋の天井に固定されると共に開口部上方の壁面２３にブラケット１５を介して固定されている。前記トロリレール２０にトロリ１６が走行自在に設けられ、前記トロリレール２０の一端部にトロリ駆動装置１７が設けられている。前記トロリ１６にはプーリ１８が設けられ、該プーリ１８には前記トロリ駆動装置１７から延出するロープ又はベルト等の屈撓部材が掛回され、該屈撓部材は前記トロリ１６に係着され、前記トロリ駆動装置１７が前記屈撓部材を周回させることで、前記トロリ１６が前記トロリレール２０に沿って走行する様になっている。
【００２３】
前記トロリ１６には連結ステー１９の一端が枢着され、該連結ステー１９の他端はブラケット２１を介してシャッタカーテン６の最上段のパネル２４に枢着されている。
【００２４】
前記壁面２３には複数のシャフト支持ブラケット２２が固定され、該シャフト支持ブラケット２２により前記巻取シャフト４の両端近傍及び所要箇所が支持されている。
【００２５】
回転自在な巻取シャフト４の両端に設けられたドラム８からロープ９が垂下され、該ロープ９は前記シャッタカーテン６の最下段のパネル２４の下端に係着されている。前記巻取シャフト４にはバランススプリング１１が設けられ、該バランススプリング１１は前記ロープ９を介して前記シャッタカーテン６に上昇力を付与し、前記トロリ駆動装置１７の開閉駆動力を軽減している。
【００２６】
而して、前記トロリ駆動装置１７により前記トロリ１６を走行させることで、前記シャッタカーテン６が開閉される。尚、図中２５は開閉装置５のカバーを示している。
【００２７】
図２を参照して第１の実施の形態について説明する。
【００２８】
図２は第１の実施の形態に用いられるパネル２４を示している。
【００２９】
該パネル２４は主に、パネル体２６、該パネル体２６の上端に取付けられる上枠２７、前記パネル体２６の下端に取付けられる下枠２８、前記パネル体２６の幅端に取付けられる側枠２９から構成される。前記上枠２７、前記下枠２８は押出し成形、引抜き成形等によって製作される。
【００３０】
前記パネル体２６は、断面が逆凸字形状である上辺部材３１、断面が凸字形状である下辺部材３２及び前記上辺部材３１の凸部、前記下辺部材３２の凸部に掛渡って設けられた一対の面板３３，３３、及び該面板３３，３３の幅端部間に設けられた側辺部材３４，３４、前記面板３３，３３間の所要位置に設けられた中桟部材３５から構成される。
【００３１】
前記上辺部材３１、前記下辺部材３２、前記面板３３、前記側辺部材３４、前記中桟部材３５の材質として、種々の材質が採用可能であり、例えば、アクリル材、その他合成樹脂材、木材、金属材が用いられ、部材間は溶着或は接着、螺子止、溶接等の材質に応じた手段が適宜採用されて固着される。従って、前記パネル体２６は中空密閉構造を有する。
【００３２】
又、前記上辺部材３１、下辺部材３２は前記面板３３より厚み方向に突出するフランジ部３１ａ，３２ａを有している。
【００３３】
前記上枠２７は、上方に突出する連結フック部３６を有すると共に下方に対向して突出する脚部３７を有し、該脚部３７，３７は下方に開放する凹部３８を形成する。前記脚部３７の下端及び下端からの所要位置に、それぞれ突条３９、突条４０が形成され、前記突条３９と前記突条４０との間には前記フランジ部３１ａが嵌合可能な嵌合溝４２が形成される。
【００３４】
前記下枠２８は、下方に開放された連結溝３０が形成されると共に上方に対向して突出する腕部４３，４３を有し、該腕部４３，４３は上方に開放する凹部４４を形成する。前記腕部４３の上端及び上端からの所要位置に、それぞれ突条４５、突条４６が形成され、前記突条４５と前記突条４６との間には嵌合溝４７が形成される。前記連結溝３０には前記連結フック部３６が回転自在に嵌合可能であり、前記嵌合溝４７には前記フランジ部３２ａが嵌合可能である。
【００３５】
前記側枠２９の上端部、下端部はそれぞれ内側に直角に曲げられ、係合片４８，４９が形成される。前記係合片４８は前記上枠２７の突条４０の上側に嵌入可能であり、前記係合片４９は前記下枠２８の突条４６の下側に嵌入可能となっている。前記係合片４８，４９を嵌入した状態で、前記側枠２９は螺子５０により、前記上辺部材３１、前記側辺部材３４、前記下辺部材３２に螺子止される。尚、図示では前記側辺部材３４と前記側枠２９とは螺子止は１箇所であるが、前記側辺部材３４の長さに応じて複数箇所螺子止する。
【００３６】
前記フランジ部３１ａを前記嵌合溝４２に嵌合させ又前記フランジ部３２ａを前記嵌合溝４７に嵌合させ、前記パネル体２６の上端、下端にそれぞれ前記上枠２７、前記下枠２８を取付け、又前記側枠２９を前記上枠２７、前記パネル体２６、前記下枠２８に掛渡って取付けることで、前記パネル２４が構成される。尚、前記側枠２９は前記上枠２７、前記パネル体２６、前記下枠２８のずれ止としても機能する。
【００３７】
上側のパネル２４とパネル２４とは前記連結溝３０に前記連結フック部３６が嵌合することで、連結され、前記連結フック部３６の中心部にローラシャフト（図示せず）が取付けられ、該ローラシャフトに前記ガイドローラ１０が回転自在に設けられる（図１参照）。
【００３８】
上記した様に、前記パネル体２６は中空密閉構造となるので、軽量で高剛性、高強度が得られ、前記パネル体２６の材質を透明アクリル、透光性を有する材質とすれば、前記パネル２４の略全面から採光が可能となる。又、前記パネル体２６は中空密閉構造であるので、断熱機能も有している。
【００３９】
前記パネル２４に於いて、前記パネル体２６の幅寸法（水平方向の寸法）の変更に対しては、前記係合片４８は共通部品として使用でき、前記上辺部材３１、前記下辺部材３２が押出し材、引抜き材であると所定の寸法に切断するだけであるので簡単に対応が可能であり、前記パネル体２６の縦寸法の変更では前記側枠２９のみの変更で対応が可能である。シャッタカーテンの仕様の変更に対して柔軟に対応することができる。
【００４０】
尚、上記実施の形態では、前記上辺部材３１、前記下辺部材３２に前記嵌合溝４２、前記嵌合溝４７に嵌合するフランジ部３１ａ、フランジ部３２ａを形成したが、前記上辺部材３１、前記下辺部材３２に前記突条３９、突条４５が嵌合する溝を形成してもよい。
【００４１】
又、前記パネル体２６は中実の１枚の板であってもよい。
【００４２】
図３は第２の実施の形態に用いられるパネル２４を示している。
【００４３】
図３中、図２中で示したものと同等のものには同符号を付してある。
【００４４】
パネル体５１は、上辺部材５２、下辺部材５３、側辺部材３４，３４で形成される矩形の枠体の表裏２面に面板３３，３３が固着され、又該面板３３，３３の内部適宜箇所に中桟部材３５が設けられた中空構造であり、第１の実施の形態で示したパネル体２６と同等の構造を有している。
【００４５】
前記上辺部材５２、前記下辺部材５３のフランジ部５２ａ，５３ａは突出してなく、前記面板３３の表面と面一となっている。
【００４６】
上枠５４は、連結フック部３６と凹部３８を具備し、前記上枠２７と略同様な断面形状を有しているが、脚部３７の下端の突条３９はなく、突条４０のみが形成されている。同様に、下枠５５は連結溝３０、凹部４４を具備し、前記下枠２８と略同様な断面形状を有し、腕部４３の上端の突条４５はなく、突条４６のみが形成されている。
【００４７】
前記パネル体５１の上端部は前記凹部３８に嵌合可能であり、前記突条４０に突当って位置決めされる。又、前記パネル体５１の下端部は、前記凹部４４に嵌合可能であり、前記突条４６に突当って位置決めされる。
【００４８】
前記パネル体５１の上端部に前記上枠５４が嵌合され、下端部に前記下枠５５が嵌合された状態で、前記上枠５４、前記パネル体５１、前記下枠５５に掛渡って前記側枠２９が螺子５０により取付けられる。前記側枠２９が前記パネル体５１に螺子止され、前記係合片４８が前記突条４０に係合し、前記係合片４９が前記突条４６に係合することで前記上枠５４、前記パネル体５１、前記下枠５５が一体化する。
【００４９】
第２の実施の形態では、前記上枠５４、前記下枠５５と前記パネル体５１との組立が簡単になる。
【００５０】
図４は第３の実施の形態を示し、パネル２４の上枠２７、下枠２８の図示を省略し、パネル体６０の端部を示している。図４中、図２中で示したものと同等のものには同符号を付してある。
【００５１】
前記パネル体６０は、断面が逆凸字形状である上辺部材３１、断面が凸字形状である下辺部材３２及び前記上辺部材３１の凸部、前記下辺部材３２の凸部に掛渡って設けられた一対の面板３３，３３、及び該面板３３，３３間の所要位置に設けられた中桟部材（図示せず）から構成され、幅端面は開放されている。
【００５２】
前記上辺部材３１はフランジ部３１ａを有し、前記下辺部材３２はフランジ部３２ａを有し、前記フランジ部３１ａが前記上枠２７の嵌合溝４２に嵌合し、前記フランジ部３２ａが前記下枠２８の嵌合溝４７に嵌合可能となっている（図２参照）。
【００５３】
前記パネル体６０の上下に前記上枠２７、前記下枠２８が嵌合した状態で、幅端に側枠５６が取付けられる。
【００５４】
該側枠５６は金属板より製作したものであり、上下に係合片４８、係合片４９が形成され、中央部に前記面板３３と平行に折曲げ、裏当片５８，５８が形成されている。前記係合片４８は前記上枠２７の突条４０の上側に係合し、前記係合片４９は前記下枠２８の突条４６の下側に係合し、前記裏当片５８，５８は前記面板３３，３３間に内嵌する様になっている。
【００５５】
前記係合片４８の下方、前記係合片４９の上方はそれぞれ螺子５０により、前記上辺部材３１、前記下辺部材３２に螺子止され、前記裏当片５８と前記面板３３の幅端部とは螺子５９により所要箇所で螺子止される。而して、前記上枠２７、前記下枠２８、前記パネル体６０は前記側枠５６により一体化される。
【００５６】
前記パネル体６０の幅端面は前記側枠５６で閉塞され、前記パネル体６０は密閉中空構造となる。又、前記側枠５６は側辺部材３４としての機能を有し、前記パネル体６０幅端部の強度部材としても機能する。
【００５７】
尚、本発明は、オーバヘッドドア以外の他のシャッタ装置にも適用可能である。例えば、オーバヘッドドアの様な送り込み格納方式以外に、巻取り式や折畳み式等の他の方式で格納されるものであっても適用可能である。又、シャッタカーテンは、全部が複数のパネルで構成されたものであってもよいが、少なくとも一部が複数のパネルにて構成されていればよく、パネルで構成されていない他の部分は例えば、スラットやパイプ、シート、ネット等他の構成とした複合組合せにてシャッタカーテンを構成してもよい。
【図面の簡単な説明】
【００５８】
【図１】本発明が実施されるオーバヘッドドアの全体を示す斜視図である。
【図２】本発明の第１の実施の形態を示す斜視図である。
【図３】本発明の第２の実施の形態を示す斜視図である。
【図４】本発明の第３の実施の形態を示す部分斜視図である。
【図５】従来のオーバヘッドドアの概略側面図である。
【図６】従来のオーバヘッドドアの概略正面図である。
【図７】従来のオーバヘッドドアの開閉装置の概略図である。
【符号の説明】
【００５９】
１              垂直ガイドレール
２              水平ガイドレール
３              湾曲レール
４              巻取シャフト
５              開閉装置
８              ドラム
１１            バランススプリング
２２            シャフト支持ブラケット
２３            壁面
２４            パネル
２６            パネル体
２７            上枠
２８            下枠
２９            側枠
３０            連結溝
３１            上辺部材
３２            下辺部材
３３            面板
３９            突条
４０            突条
４２            嵌合溝
４５            突条
４６            突条
４７            嵌合溝
４８            係合片
４９            係合片
５１            パネル体
５２            上辺部材
５３            下辺部材
５４            上枠
５５            下枠
５６            側枠
６０            パネル体
【図１】
2005226290.tif 000003
【図２】
2005226290.tif 000004
【図３】
2005226290.tif 000005
【図４】
2005226290.tif 000006
【図５】
2005226290.tif 000007
【図６】
2005226290.tif 000008
【図７】
2005226290.tif 000009